(57)【要約】【課題】写真を立体的に見せることができる写真用台紙及び同写真用台紙を用いたアルバム並びに同写真用台紙を用いた写真展示用額縁を提供する。【解決手段】所定の露出用開口を設けたフレーム用台紙を支持台紙に着設するとともに、フレーム用台紙と支持台紙との間に写真を介装し、露出用開口から写真を露出させるべく構成した写真用台紙において、フレーム用台紙の表面には、フレーム用台紙で被覆した写真の被覆部分の画像を設け、フレーム用台紙表面の画像と、露出用開口から露出した写真の画像とで１つの画像とし、１つの画像内に段差を設けた写真用台紙とする。かかる写真用台紙を用いてアルバム及び写真展示用額縁を構成する。【選択図】    図１
2004188663.tif 000002
【特許請求の範囲】
【請求項１】
所定の露出用開口を設けたフレーム用台紙を支持台紙に着設するとともに、フレーム用台紙と支持台紙との間に写真を介装し、露出用開口から写真を露出させるべく構成した写真用台紙において、
フレーム用台紙の表面には、フレーム用台紙で被覆した写真の被覆部分の画像を設け、フレーム用台紙表面の画像と、露出用開口から露出した写真の画像とで１つの画像とし、１つの画像内に段差を設けたことを特徴とする写真用台紙。
【請求項２】
フレーム用台紙表面の画像と、露出用開口から露出した写真の画像とで、色調を互いに異ならせたことを特徴とする請求項１記載の写真用台紙。
【請求項３】
フレーム用台紙表面の画像はモノトーンとしたことを特徴とする請求項１または請求項２に記載の写真用台紙。
【請求項４】
露出用開口側縁には、露出用開口がフレーム用台紙の裏面から表面に向けて拡開状となる傾斜面を設けたことを特徴とする請求項１〜３のいずれか１項に記載の写真用台紙。
【請求項５】
それぞれ写真を着設した複数の写真用台紙を綴じてなるアルバムにおいて、
写真用台紙の少なくとも１つは、所定の露出用開口を設けたフレーム用台紙を支持台紙に着設するとともに、フレーム用台紙と支持台紙との間に写真を介装し、露出用開口から写真を露出させるべく構成した写真用台紙であって、
フレーム用台紙の表面には、フレーム用台紙で被覆した写真の被覆部分の画像を設け、フレーム用台紙表面の画像と、露出用開口から露出した写真の画像とで１つの画像とし、１つの画像内に段差を設けたことを特徴とするアルバム。
【請求項６】
フレーム用台紙表面の画像と、露出用開口から露出した写真の画像とで、色調を互いに異ならせたことを特徴とする請求項５記載のアルバム。
【請求項７】
フレーム用台紙表面の画像はモノトーンとしたことを特徴とする請求項５または請求項６に記載のアルバム。
【請求項８】
露出用開口側縁には、露出用開口がフレーム用台紙の裏面から表面に向けて拡開状となる傾斜面を設けたことを特徴とする請求項５〜７のいずれか１項に記載のアルバム。
【請求項９】
外枠体に、表層板と、写真を着設した写真用台紙と、背板とを装着してなる写真展示用額縁において、
写真用台紙は、所定の露出用開口を設けたフレーム用台紙を支持台紙に着設するとともに、フレーム用台紙と支持台紙との間に写真を介装し、露出用開口から写真を露出させるべく構成し、
さらに、フレーム用台紙の表面には、フレーム用台紙で被覆した写真の被覆部分の画像を設け、フレーム用台紙表面の画像と、露出用開口から露出した写真の画像とで１つの画像とし、１つの画像内に段差を設けたことを特徴とする写真展示用額縁。
【請求項１０】
フレーム用台紙表面の画像と、露出用開口から露出した写真の画像とで、色調を互いに異ならせたことを特徴とする請求項９記載の写真展示用額縁。
【請求項１１】
フレーム用台紙表面の画像はモノトーンとしたことを特徴とする請求項９または請求項１０に記載の写真展示用額縁。
【請求項１２】
露出用開口側縁には、露出用開口がフレーム用台紙の裏面から表面に向けて拡開状となる傾斜面を設けたことを特徴とする請求項９〜１１のいずれか１項に記載の写真展示用額縁。
【請求項１３】
表層板と写真用台紙との間には中間板を設け、同中間板に別の写真を着設可能に構成したことを特徴とする請求項９〜１２のいずれか１項に記載の写真展示用額縁。
【発明の詳細な説明】
【０００１】
【発明の属する技術分野】
本発明は、写真用台紙及び同写真用台紙を用いたアルバム並びに同写真用台紙を用いた写真展示用額縁に関するものである。
【０００２】
【従来の技術】
従来、カメラで撮影した写真は、所要の用紙にプリントし、アルバムや写真立て等を用いて閲覧可能としている。
【０００３】
かかる写真は単なる平面的な画像であって立体感に欠ける場合が多く、そのため、写真に立体感を持たせるために写真の周囲の一部に縁取りを設けて立体感を表現可能としたアルバムが提案されている（例えば、特許文献１参照。）。
【０００４】
【特許文献１】
登録実用新案第３０６５８９７号公報
【０００５】
【発明が解決しようとする課題】
しかしながら、上記のように写真の周囲の一部に縁取りを設けただけでは十分な立体感を得ることができず、さらなる立体感を生起する手法が求められていた。
【０００６】
本発明者はこのような現状に鑑み、写真に立体感を付与可能な技術を日夜研究し、本発明をなすに至ったものである。
【０００７】
【課題を解決するための手段】
すなわち、本発明の写真用台紙では、所定の露出用開口を設けたフレーム用台紙を支持台紙に着設するとともに、フレーム用台紙と支持台紙との間に写真を介装し、露出用開口から写真を露出させるべく構成した写真用台紙において、フレーム用台紙の表面には、フレーム用台紙で被覆した写真の被覆部分の画像を設け、フレーム用台紙表面の画像と、露出用開口から露出した写真の画像とで１つの画像とし、１つの画像内に段差を設けた。
【０００８】
さらに、以下の点にも特徴を有するものである。すなわち、
（１）フレーム用台紙表面の画像と、露出用開口から露出した写真の画像とで、色調を互いに異ならせたこと。
（２）フレーム用台紙表面の画像はモノトーンとしたこと。
（３）露出用開口側縁には、露出用開口がフレーム用台紙の裏面から表面に向けて拡開状となる傾斜面を設けたこと。
【０００９】
また、本発明のアルバムでは、それぞれ写真を着設した複数の写真用台紙を綴じてなるアルバムにおいて、写真用台紙の少なくとも１つは、所定の露出用開口を設けたフレーム用台紙を支持台紙に着設するとともに、フレーム用台紙と支持台紙との間に写真を介装し、露出用開口から写真を露出させるべく構成した写真用台紙であって、フレーム用台紙の表面には、フレーム用台紙で被覆した写真の被覆部分の画像を設け、フレーム用台紙表面の画像と、露出用開口から露出した写真の画像とで１つの画像とし、１つの画像内に段差を設けた。
【００１０】
さらに、以下の点にも特徴を有するものである。すなわち、
（１）フレーム用台紙表面の画像と、露出用開口から露出した写真の画像とで、色調を互いに異ならせたこと。
（２）フレーム用台紙表面の画像はモノトーンとしたこと。
（３）露出用開口側縁には、露出用開口がフレーム用台紙の裏面から表面に向けて拡開状となる傾斜面を設けたこと。
【００１１】
また、本発明の写真展示用額縁では、外枠体に、表層板と、写真を着設した写真用台紙と、背板とを装着してなる写真展示用額縁において、写真用台紙は、所定の露出用開口を設けたフレーム用台紙を支持台紙に着設するとともに、フレーム用台紙と支持台紙との間に写真を介装し、露出用開口から写真を露出させるべく構成し、さらに、フレーム用台紙の表面には、フレーム用台紙で被覆した写真の被覆部分の画像を設け、フレーム用台紙表面の画像と、露出用開口から露出した写真の画像とで１つの画像とし、１つの画像内に段差を設けた。
【００１２】
さらに、以下の点にも特徴を有するものである。すなわち、
（１）フレーム用台紙表面の画像と、露出用開口から露出した写真の画像とで、色調を互いに異ならせたこと。
（２）フレーム用台紙表面の画像はモノトーンとしたこと。
（３）露出用開口側縁には、露出用開口がフレーム用台紙の裏面から表面に向けて拡開状となる傾斜面を設けたこと。
（４）表層板と写真用台紙との間には中間板を設け、同中間板に別の写真を着設可能に構成したこと。
【００１３】
【発明の実施の形態】
本発明の写真用台紙は、所定の露出用開口を設けたフレーム用台紙を支持台紙に着設するとともに、フレーム用台紙と支持台紙との間に写真を介装し、露出用開口から写真を露出させるべく構成した写真用台紙であって、フレーム用台紙の表面には、フレーム用台紙で被覆した写真の被覆部分の画像を設け、フレーム用台紙表面の画像と、露出用開口から露出した写真の画像とで１つの画像としているものであり、１つの画像内に段差を設けているものである。
【００１４】
このように、１つの画像内に段差を設けることによって画像に視覚的な奥行感を生起することができ、写真に立体感を付与することができる。
【００１５】
また、本発明のアルバム及び写真展示用額縁は、上記の写真用台紙を用いて構成し、立体感を有する写真を掲示したアルバム及び写真展示用額縁としたものである。
【００１６】
すなわち、本発明のアルバムでは、それぞれ写真を着設した複数の写真用台紙を綴じてなるアルバムにおいて、写真用台紙の少なくとも１つは、上記したように所定の露出用開口を設けたフレーム用台紙を支持台紙に着設するとともに、フレーム用台紙と支持台紙との間に写真を介装し、露出用開口から写真を露出させるべく構成した写真用台紙であって、フレーム用台紙の表面には、フレーム用台紙で被覆した写真の被覆部分の画像を設け、フレーム用台紙表面の画像と、露出用開口から露出した写真の画像とで１つの画像とし、１つの画像内に段差を設けているものである。
【００１７】
また、本発明の写真展示用額縁では、外枠体に、表層板と、写真を着設した写真用台紙と、背板とを装着してなる写真展示用額縁であって、写真用台紙を上記したように、所定の露出用開口を設けたフレーム用台紙を支持台紙に着設するとともに、フレーム用台紙と支持台紙との間に写真を介装し、露出用開口から写真を露出させるべく構成し、さらに、フレーム用台紙の表面には、フレーム用台紙で被覆した写真の被覆部分の画像を設け、フレーム用台紙表面の画像と、露出用開口から露出した写真の画像とで１つの画像とし、１つの画像内に段差を設けているものである。
【００１８】
上記の写真用台紙、及びアルバムに用いる写真用台紙、さらには、写真展示用額縁に用いる写真用台紙において、フレーム用台紙表面の画像と、露出用開口から露出した写真の画像とで、色調を互いに異ならせた場合には、より大きな視覚的な奥行感を生起することができ、より強く立体感を生起することができる。
【００１９】
特に、フレーム用台紙表面の画像をモノトーンとした場合には、視点部分では焦点を合わせる一方で、視点以外の部分では焦点を合わせないという人間の視覚作用を利用して、露出用開口から露出した写真の画像部分を強調することができ、より強く立体感を生起することができる。
【００２０】
さらに、露出用開口側縁に、露出用開口がフレーム用台紙の裏面から表面に向けて拡開状となる傾斜面を設けた場合には、フレーム用台紙表面の画像と、露出用開口から露出した写真の画像との間における段差を傾斜面によって大きく見せることができるので、さらに大きな視覚的な奥行感を生起することができ、より強く立体感を生起することができる。
【００２１】
従って、フレーム用台紙には薄手のシート材からなる厚紙を用いながらも十分な立体感を生起することができるので、写真用台紙、及び同写真用台紙を用いたアルバムあるいは写真展示用額縁の薄型化・軽量化を図ることができる。
【００２２】
【実施例】
以下において図面に基づいて、本発明の実施例を説明する。
【００２３】
図１は、本発明の写真用台紙Ａの分解組立図である。写真用台紙Ａは、所定形状とした支持台紙１と、同支持台紙１に着設するフレーム用台紙２とで構成しており、支持台紙１とフレーム用台紙２との間に写真３を介装すべく構成している。
【００２４】
本実施例では、支持台紙１は所定の厚みを有する厚紙で構成しており、略矩形形状としている。ただし、支持台紙１は厚紙で構成するものに限定するものではなく、プラスチック板や木製板で形成してもよい。また、支持台紙１の形状は略矩形形状に限定するものではなく、丸型や星形等の任意の形状としてもよい。
【００２５】
フレーム用台紙２には、所要の位置に所定形状の露出用開口２１を設けており、同露出用開口２１から支持台紙１とフレーム用台紙２との間に介装した写真３の画像を露出させている。
【００２６】
本実施例では、フレーム用台紙２も所定の厚みを有する厚紙で構成しており、外周形状を支持台紙１と略同型の略矩形形状としている。ただし、支持台紙１は厚紙で構成するものに限定するものではなく、プラスチック板や木製板で形成してもよい。また、フレーム用台紙２の形状は必ずしも支持台紙１と略同一形状とする必要はなく、任意の形状としてもよい。
【００２７】
また、本実施例では、露出用開口２１を１つの略矩形状としているが、１つに限定するものではなく複数の露出用開口２１を設けてもよいし、略矩形状に限定するものではなく丸型や楕円型、あるいは、星形等の任意の形状としてもよい。
【００２８】
上記のフレーム用台紙２は、写真３の一部分の画像、すなわち、写真３の露出用開口２１から露出した部分の画像の外周縁に位置する画像を被覆しており、フレーム用台紙２の表面には、フレーム用台紙２で被覆した写真３の被覆部分の画像２２を設け、フレーム用台紙表面の画像２２と、露出用開口２１から露出した写真３の画像とで１つの画像としている。以下において、説明の便宜上、フレーム用台紙表面の画像２２を外周画像２２’と呼ぶことにする。
【００２９】
このように外周画像２２’をフレーム用台紙表面に設けていることにより、外周画像２２’と露出用開口２１から露出した写真３の画像とで構成した１つの画像は、露出用開口２１の側縁に沿って段差が生じており、露出用開口２１から露出した写真３の画像が、外周画像２２’よりも奥まった位置に存在することによって画像に視覚的な奥行感を生起することができ、写真に立体感を付与することができる。
【００３０】
外周画像２２’は、フレーム用台紙２の表面に印刷することによって配設してもよいし、適宜の用紙に印刷し、それをフレーム用台紙２の表面に着設してもよい。
【００３１】
また、外周画像２２’は、露出用開口から露出した写真３の画像と色調を互いに異ならせておくことにより、より大きな視覚的な奥行感を生起することができ、より強く立体感を生起することができる。
【００３２】
特に、外周画像２２’をモノトーンとした場合には、視点部分では焦点を合わせる一方で、視点以外の部分では焦点を合わせないという人間の視覚作用を利用して、露出用開口から露出した写真３の画像部分を強調することができ、より強く立体感を生起することができる。この場合、モノトーンには白黒のモノトーンを用いることによって、白黒写真とカラー写真の合成状態とすることができ、かかる写真を見た人にフラッシュバック的な感覚を生起することができ、視覚的だけでなく、人間の心証的にもインパクトを与えることができる。
【００３３】
フレーム用台紙２における露出用開口２１の形成に当たっては、図２に示す図１のＸ−Ｘ断面模式図に示すように、露出用開口２１の側縁に、露出用開口２１がフレーム用台紙２の裏面から表面に向けて拡開状となる傾斜面２３を設けている。
【００３４】
露出用開口２１の側縁に傾斜面２３を設けることによって、外周画像２２’と、露出用開口２  １から露出した写真３の画像との間における段差を傾斜面２３によって大きく見せることができるので、さらに大きな視覚的な奥行感を生起することができ、より強く立体感を生起することができる。
【００３５】
従って、フレーム用台紙２には薄手の厚紙を用いながらも十分な立体感を生起することができるので、写真用台紙Ａの薄型化・軽量化を図ることができる。
【００３６】
以下において、上記した写真用台紙Ａの形成方法の一例を説明する。
【００３７】
本実施例では、支持台紙１とフレーム用台紙２には、それぞれ略同一形状の略矩形状とした厚紙を用いており、特に、フレーム用台紙２には表面が白地の厚紙を用いている。なお、フレーム用台紙２には、露出用開口２１はまだ形成していない。写真３は、写真印刷専用の専用用紙に印刷したものを用いている。
【００３８】
まず、写真用台紙Ａに着設する写真の画像をパーソナルコンピュータ等の画像調整装置に入力し、既知のフォトレタッチ用の処理ソフトウェアを用いて適宜の補正処理を行なって、プリンタ等の印刷装置を用いて所要の用紙に印刷を行ない、写真３を形成する。写真３は、単なる白紙に印刷を行なって形成してもよいし、写真印刷専用の専用用紙に印刷して形成してもよい。あるいは、白以外の所要の色とした用紙を用いて形成してもよい。
【００３９】
次いで、画像調整装置を用いて先に印刷した写真の色調を調整し、特に、ここでは白黒のモノトーンに調整してモノトーン画像を生成し、プリンタ等の印刷装置を用いてフレーム用台紙２に印刷を行なう。
【００４０】
次いで、所要のモノトーン画像を印刷したフレーム用台紙２の所要の位置を、カッター等の適宜の切断具を用いて切り抜き、露出用開口２１を形成している。このとき、露出用開口２１の側縁には、露出用開口２１がフレーム用台紙２の裏面から表面に向けて拡開状となる傾斜面２３を設けるようにして切り抜いている。
【００４１】
次いで、露出用開口２１から写真３の画像の一部を露出させながらフレーム用台紙２裏面に写真３を着設している。写真３のフレーム用台紙２裏面への着設には両面テープを用いてもよいし、適宜の接着剤を用いてもよく、フレーム用台紙２裏面に写真３を確実に着設できる方法であればいずれの方法を用いてもよい。
【００４２】
なお、フレーム用台紙２裏面に写真３を着設する場合には、露出用開口２１から露出させた写真３の画像と、フレーム用台紙２表面の外周画像２２’とが略連続的となるように写真３を位置させて着設する必要があるが、露出用開口２１の側縁に傾斜面２３を設けたことによって、露出用開口２１から露出させた写真３の画像と外周画像２２’との間には、傾斜面２３の幅寸法分の隙間が生じており、かかる隙間によって露出用開口２１から露出させた写真３の画像と外周画像２２’との多少の位置ズレを視覚的には認識できなくすることができ、厳密な位置合せをすることなくフレーム用台紙２裏面に写真３を着設することができる。従って、作業効率を向上させることができる。
【００４３】
フレーム用台紙２裏面に写真３を着設した後、このフレーム用台紙２を支持台紙１に着設して写真用台紙Ａを形成している。フレーム用台紙２の支持台紙１への着設には、両面テープを用いてもよいし、適宜の接着剤を用いてもよく、支持台紙１にフレーム用台紙２を確実に着設できる方法であればいずれの方法を用いてもよい。
【００４４】
フレーム用台紙２を支持台紙１に着設した後、フレーム用台紙２と支持台紙１との外側縁に縁取り用の帯状シートを着設し、見栄えを良くしてもよい。
【００４５】
上記のようにして形成した写真用台紙Ａを複数枚重ね、必要に応じて表紙３１、裏表紙３２、背表紙３３を設けて綴じることにより、図３に示すようにアルバムＢを形成することができる。
【００４６】
このアルバムＢは、全ページが上記した写真用台紙Ａである必要はなく、少なくとも１ページが上記した写真用台紙Ａで構成されていればよい。なお、アルバムＢの形成時には２枚の写真用台紙Ａを背面同士で接合して両面に写真３を掲載した１枚の写真用台紙としてもよい。
【００４７】
また、図４は、上記した写真用台紙Ａを用いて形成した写真展示用額縁Ｃである。
【００４８】
写真展示用額縁Ｃは、図４及び図４のＹ−Ｙ断面模式図である図５に示すように、外枠体４１に、表層板４２と、写真３を着設した写真用台紙Ａと、背板４３とを装着して構成しているものである。図５中、４４は背板４３を支持する係止爪である。
【００４９】
外枠体４１は、本実施例では、写真用台紙Ａを挿入可能な略矩形枠状としているが略矩形枠状に限定するものではなく、適宜の形状としてもよい。外枠体４１の前面側端部には係止用鍔４１ａを内側方向に突設しており、同係止用鍔４１ａによって表層板４２を係止すべく構成している。
【００５０】
表層板４２には、本実施例では略透明な合成樹脂製板を用いている。なお、合成樹脂製板ではなくガラス板を用いてもよい。
【００５１】
背板４３には、本実施例では厚肉の厚紙を用いている。なお、厚紙ではなく木製板や合成樹脂製板を用いてもよい。
【００５２】
さらに、本実施例では、図４および図５に示すように、表層板４２と写真用台紙Ａとの間には中間板４５を設け、同中間板４５に別の写真４６を着設すべく構成している。
【００５３】
表層板４２と写真用台紙Ａとの間に中間板４５を設けるべく、外枠体４１内への表層板４２の挿入後、外枠体４１の内周面と接する第１内枠体４７ａを外枠体４１内に挿入し、次いで、外枠体４１内に中間板４５を挿入し、さらに、外枠体４１の内周面と接する第２内枠体４７ｂを外枠体４１内に挿入した後写真用台紙Ａ及び背板４３を外枠体４１内に順次挿入し、係止爪４４で背板４３を係止している。
【００５４】
すなわち、第１内枠体４７ａ及び第２内枠体４７ｂを介して中間板４５を支持すべく構成している。
【００５５】
中間板４５は透明な素材で構成することが望ましく、本実施例では透明な合成樹脂製板を用いている。なお、合成樹脂製板ではなくガラス板を用いてもよい。
【００５６】
中間板４５を設けて同中間板４５に別の写真４６を着設することにより、この写真４６が宙に浮いたように見せることができ、この視覚効果によってフレーム用台紙Ａ表面の外周画像２２’と、露出用開口２１から露出した写真３の画像とからなる画像に視覚的に大きな奥行感を生起することができ、写真３により大きな立体感を付与することができる。
【００５７】
特に、第１内枠体４７ａ及び第２内枠体４７ｂに所定の幅寸法を持たせ、中間板４５を表層板４２及び写真用台紙Ａから離隔させていることによって、写真４６には浮揚感を与えることができ、視覚的な立体感を強く感じさせることができる。
【００５８】
本実施例では、中間板４５は１枚だけであるが、１枚に限定するものではなく複数枚設けてもよい。また、中間板４５には写真４６だけでなく、所要の文字を表示したプレート、あるいは、押し花などの装飾品を着設してもよい。
【００５９】
【発明の効果】
請求項１記載の発明によれば、所定の露出用開口を設けたフレーム用台紙を支持台紙に着設するとともに、フレーム用台紙と支持台紙との間に写真を介装し、露出用開口から写真を露出させるべく構成した写真用台紙において、フレーム用台紙の表面には、フレーム用台紙で被覆した写真の被覆部分の画像を設け、フレーム用台紙表面の画像と、露出用開口から露出した写真の画像とで１つの画像とし、１つの画像内に段差を設けたことによって、フレーム用台紙表面の画像と、露出用開口から露出した写真の画像とからなる画像に視覚的な奥行感を生起することができ、写真に立体感を付与することができる。
【００６０】
請求項２記載の発明によれば、フレーム用台紙表面の画像と、露出用開口から露出した写真の画像とで、色調を互いに異ならせたことによって、より大きな視覚的な奥行感を生起することができ、より強く立体感を生起することができる。
【００６１】
請求項３記載の発明によれば、フレーム用台紙表面の画像をモノトーンとしたことによって、人間の視覚特性を利用して露出用開口から露出した写真の画像部分を強調することができ、より強く立体感を生起することができる。
【００６２】
請求項４記載の発明によれば、露出用開口側縁には、露出用開口がフレーム用台紙の裏面から表面に向けて拡開状となる傾斜面を設けたことによって、フレーム用台紙表面の画像と、露出用開口から露出した写真の画像との間における段差を傾斜面によって大きく見せることができるので、大きな視覚的な奥行感を生起することができ、より強く立体感を生起することができる。しかも、フレーム用台紙が薄手のシート材であっても十分な立体感を生起することができるので、写真用台紙の薄型化・軽量化を図ることができる。
【００６３】
請求項５記載の発明によれば、それぞれ写真を着設した複数の写真用台紙を綴じてなるアルバムにおいて、写真用台紙の少なくとも１つは、所定の露出用開口を設けたフレーム用台紙を支持台紙に着設するとともに、フレーム用台紙と支持台紙との間に写真を介装し、露出用開口から写真を露出させるべく構成した写真用台紙であって、フレーム用台紙の表面には、フレーム用台紙で被覆した写真の被覆部分の画像を設け、フレーム用台紙表面の画像と、露出用開口から露出した写真の画像とで１つの画像とし、１つの画像内に段差を設けたことによって、請求項１記載の発明と同様に、フレーム用台紙表面の画像と、露出用開口から露出した写真の画像とからなる画像に視覚的な奥行感を生起することができ、写真に立体感を付与することができる。
【００６４】
請求項６記載の発明によれば、フレーム用台紙表面の画像と、露出用開口から露出した写真の画像とで、色調を互いに異ならせたことによって、請求項２記載の発明と同様に、より大きな視覚的な奥行感を生起することができ、より強く立体感を生起することができる。
【００６５】
請求項７記載の発明によれば、フレーム用台紙表面の画像をモノトーンとしたことによって、請求項３記載の発明と同様に、人間の視覚特性を利用して露出用開口から露出した写真の画像部分を強調することができ、より強く立体感を生起することができる。
【００６６】
請求項８記載の発明によれば、露出用開口側縁に、露出用開口がフレーム用台紙の裏面から表面に向けて拡開状となる傾斜面を設けたことによって、請求項４記載の発明と同様に、フレーム用台紙表面の画像と、露出用開口から露出した写真の画像との間における段差を傾斜面によって大きく見せることができるので、大きな視覚的な奥行感を生起することができ、より強く立体感を生起することができる。しかも、フレーム用台紙が薄手のシート材であっても十分な立体感を生起することができるので、アルバムの薄型化・軽量化を図ることができる。
【００６７】
請求項９記載の発明によれば、外枠体に、表層板と、写真を着設した写真用台紙と、背板とを装着してなる写真展示用額縁において、写真用台紙は、所定の露出用開口を設けたフレーム用台紙を支持台紙に着設するとともに、フレーム用台紙と支持台紙との間に写真を介装し、露出用開口から写真を露出させるべく構成し、さらに、フレーム用台紙の表面には、フレーム用台紙で被覆した写真の被覆部分の画像を設け、フレーム用台紙表面の画像と、露出用開口から露出した写真の画像とで１つの画像とし、１つの画像内に段差を設けたことによって、請求項１記載の発明と同様に、フレーム用台紙表面の画像と、露出用開口から露出した写真の画像とからなる画像に視覚的な奥行感を生起することができ、写真に立体感を付与することができる。
【００６８】
請求項１０記載の発明によれば、フレーム用台紙表面の画像と、露出用開口から露出した写真の画像とで、色調を互いに異ならせたことによって、請求項２記載の発明と同様に、より大きな視覚的な奥行感を生起することができ、より強く立体感を生起することができる。
【００６９】
請求項１１記載の発明によれば、フレーム用台紙表面の画像をモノトーンとしたことによって、請求項３記載の発明と同様に、人間の視覚特性を利用して露出用開口から露出した写真の画像部分を強調することができ、より強く立体感を生起することができる。
【００７０】
請求項１２記載の発明によれば、露出用開口側縁に、露出用開口がフレーム用台紙の裏面から表面に向けて拡開状となる傾斜面を設けたことによって、請求項４記載の発明と同様に、フレーム用台紙表面の画像と、露出用開口から露出した写真の画像との間における段差を傾斜面によって大きく見せることができるので、大きな視覚的な奥行感を生起することができ、より強く立体感を生起することができる。しかも、フレーム用台紙が薄手のシート材であっても十分な立体感を生起することができるので、写真展示用額縁の薄型化・軽量化を図ることができる。
【００７１】
請求項１３記載の発明によれば、表層板と写真用台紙との間に中間板を設け、同中間板に別の写真を着設可能に構成したことによって、中間板に別の写真を着設することにより、この写真が宙に浮いたように見せることができ、この視覚効果によってフレーム用台紙表面の画像と、露出用開口から露出した写真の画像とからなる画像に視覚的に大きな奥行感を生起することができ、写真により大きな立体感を付与することができる。
【図面の簡単な説明】
【図１】本発明にかかる写真用台紙の分解組立図である。
【図２】図１のＸ−Ｘ断面模式図である。
【図３】本発明にかかるアルバムの説明図である。
【図４】本発明にかかる写真展示用額縁の説明図である。
【図５】図４のＹ−Ｙ断面模式図である。
【符号の説明】
Ａ  写真用台紙
１  支持台紙
２  フレーム用台紙
３  写真
２１  露出用開口
２２’  外周画像
２３  傾斜面
【図１】
2004188663.tif 000003
【図２】
2004188663.tif 000004
【図３】
2004188663.tif 000005
【図４】
2004188663.tif 000006
【図５】
2004188663.tif 000007